(57)【要約】      （修正有）【課題】リング状装身具の組立作業が単純であり、かつ構造がシンプルで耐久性に富む上、大幅なコストダウンが可能であり、かつ耳たぶを挟着しかつ把持する力を十分発揮することができるリング状装身具を提供する。【解決手段】開口端１２を備えたリング状バネ１１と、リング状バネの外周の両側に配設された２つ以上の装飾部材１３、１４と、装飾部材に挿通したリング状バネの開口端にそれぞれ取り付けた耳当て部材１６とを備え、リング状バネの開口端を開いて耳たぶを挿通した上でリング状バネに加えた力を開放し、リング状バネの力で一対の耳当て部材間で耳たぶを挟み付けるようにした。【選択図】図１
0003223487.tif 000002
【実用新案登録請求の範囲】
【請求項１】
開口端を備えたリング状バネと、該リング状バネの外周の両側に配設された２つ以上の装飾部材と、該装飾部材に挿通した前記リング状バネの開口端にそれぞれ取り付けた耳当て部材とを備え、前記リング状バネの開口端を開いて耳たぶを挿通した上でリング状バネに加えた力を開放し、前記リング状バネの力で前記一対の耳当て部材間で耳たぶを挟み付けるようにしたことを特徴とするリング状装身具。
【請求項２】
前記リング状バネの外周の両側に配設された２つ以上の装飾部材は、前記リング状バネの外周の両側にそれぞれ配設された半割りのパイプ状装飾部材と、該半割りのパイプ状装飾部材間に配設された１または２の球状スペーサとを備えていることを特徴とする請求項１に記載のリング状装身具。
【請求項３】
前記リング状バネの外周の両側に配設された２つ以上の装飾部材は、前記リング状バネの外周の両側にそれぞれ配設された多数の球状装飾部材と、該球状装飾部材間に配設された１または２の球状スペーサとを備えていることを特徴とする請求項１に記載のリング状装身具。
【請求項４】
前記装飾部材および球状スペーサは、金や銀、プラチナ、あるいはそれらの合金からなる貴金属製であることを特徴とする請求項１ないし３のいずれかに記載のリング状装身具。
【請求項５】
前記リング状バネは、ＴｉＮｉ形状記憶合金を含むチタン系弾性素材からなることを特徴とする請求項１ないし４のいずれかに記載のリング状装身具。
【考案の詳細な説明】
【技術分野】
【０００１】
この考案は、クリップ式のイヤリング等に用いられるリング状装身具であって、耳たぶに簡単に取り付けたり、取り外すことが可能なリング状装身具に関するものである。
【背景技術】
【０００２】
この種のリング状装身具としては特開平９−２９４６１３号公報（特許文献１参照）のような貴金属製のリング状本体の弾性で耳たぶを挟着するものが知られているが、貴金属製のリング状本体では十分な弾性を得ることができない。
他方、一般的な金属製のリング状本体では装身具としての十分な価値を得ることができない。
【０００３】
また、特開平１０−２５７９０８号公報（特許文献２参照）には、部材Ａの一端を二股の軸受部とし、部材Ｂの一端を前記二股の軸受部内に嵌め込まれる回転部とし、両者を軸を介して他端の開放端部が突き合される方向に開閉自在に軸着し、二股の軸受部の内側に前端を解放し、後端を固着した板バネ材が部材Ａの内周側の溝内に備えられ、部材Ａ、Ｂが開かれた際に、当該板バネが回転部先端の立面を押えて開かれた状態を維持し、部材Ａ、Ｂが閉じられた際には当該板バネによって回転部の内側先端に設けられた突部を押えて閉じた状態を維持するようにしたイヤリング提案されている。
しかしながら、このようなイヤリングでは板バネが回転部と擦りあわされて貴金属製の回転部が摩耗しやすく、耐久性に問題がある上、耳たぶを挟み付ける力の調整が難しいという問題があった。
【先行技術文献】
【特許文献】
【０００４】
【特許文献１】特開平９−２９４６１３号公報
【特許文献２】特開平１０−２５７９０８号公報
【考案の概要】
【考案が解決しようとする課題】
【０００５】
１）前記特許文献１の貴金属製のリング状本体の弾性で耳たぶを挟着するものにおいては、貴金属製のリング状本体では十分な弾性を発揮できないため挟着力が充分ではなかった。
他方、一般的な金属製のリング状本体では装身具としての十分な価値を得ることができないという欠点があった。
２）前記特許文献２のリング状装身具においては、板バネが回転部と擦りあわされて貴金属製の回転部が摩耗しやすく、耐久性に問題がある上、耳たぶを挟み付ける力の調整が難しいという問題があった。
【０００６】
この考案は、リング状装身具の組立作業が単純であり、かつ構造がシンプルで耐久性に富む上、大幅なコストダウンが可能であり、かつ耳たぶを挟着しかつ把持する力を十分発揮することができるリング状装身具を提供することを目的とするものである。
【課題を解決するための手段】
【０００７】
すなわち、この考案のリング状装身具は、開口端を備えたリング状バネと、該リング状バネの外周の両側に配設された２つ以上の装飾部材と、該装飾部材に挿通した前記リング状バネの開口端にそれぞれ取り付けた耳当て部材とを備え、前記リング状バネの開口端を開いて耳たぶを挿通した上でリング状バネに加えた力を開放し、前記リング状バネの力で前記一対の耳当て部材間で耳たぶを挟み付けるようにしたことを特徴とするものである。
【０００８】
この考案のリング状装身具において、前記リング状バネの外周の両側に配設された２つ以上の装飾部材は、前記リング状バネの外周の両側にそれぞれ配設された半割りのパイプ状装飾部材と、該半割りのパイプ状装飾部材間に配設された１または２の球状スペーサとを備えていることをも特徴とするものである。
【０００９】
この考案のリング状装身具において、前記リング状バネの外周の両側に配設された２つ以上の装飾部材は、前記リング状バネの外周の両側にそれぞれ配設された多数の球状装飾部材と、該球状装飾部材間に配設された１または２の球状スペーサとを備えていることをも特徴とするものである。
【００１０】
この考案のリング状装身具において、前記装飾部材および球状スペーサは、金や銀、プラチナ、あるいはそれらの合金からなる貴金属製であることをも特徴とするものである。
【００１１】
この考案のリング状装身具において、前記リング状バネは、ＴｉＮｉ形状記憶合金を含むチタン系弾性素材からなることをも特徴とするものである。
【考案の効果】
【００１２】
請求項１のリング状装身具によれば、開口端を備えたリング状バネの弾性力で耳たぶの挟着力を確保しかつ把持するものであるため、耳たぶへ取り付け、取り外す操作が非常に簡単である。
また、リング状バネの外周を覆って配設された２つ以上の装飾部材がリング状装身具の装飾性を高めていて極めて高い付加価値を付与することができる。
【００１３】
請求項２のリング状装身具によれば、前記リング状バネの外周の両側にそれぞれ配設された半割りのパイプ状装飾部材と、該半割りのパイプ状装飾部材間に配設された１または２の球状スペーサとを備えているため、該球状スペーサの数やサイズによってリング状バネによる耳たぶの挟着力の調整を簡易迅速に行うことができるようになった。
【００１４】
請求項３のリング状装身具によれば、前記リング状バネの外周の両側に配設された２つ以上の装飾部材が、前記リング状バネの外周の両側にそれぞれ配設された多数の球状装飾部材を連珠状に配設したものであるため、多様な装飾性を備えたリング状装身具を提供することが可能である。
【００１５】
請求項４のリング状装身具によれば、前記装飾部材および球状スペーサは、金や銀、プラチナ、あるいはそれらの合金からなる貴金属製であるため、極めて装飾性の高く、高価で付加価値の高い装身具を提供することができるようになった。
【００１６】
請求項５のリング状装身具によれば、前記リング状バネは、ＴｉＮｉ形状記憶合金を含むチタン系弾性素材からなるものであるため、しなやかで耐食性、耐摩耗性に優れ、また生体適合性が良く、アレルギーなどが起こりにくい材料である。
【図面の簡単な説明】
【００１７】
【図１】リング状装身具の球状スペーサが１個の場合の第１実施例の概略正面図である。
【図２】その概略断面図である。
【図３】その概略斜視図である。
【図４】その概略斜視断面図である。
【図５】耳当て部材箇所の要部拡大断面図である。
【図６】リング状装身具を開いた状態の概略正面図である。
【図７】その概略断面図である。
【図８】リング状装身具を耳たぶに装着した状態の概略斜視図である。
【図９】リング状装身具の球状スペーサが２個の場合の第２実施例の概略正面図である。
【図１０】リング状装身具の装飾部材として、多数の球状装飾部材を連珠状に配設した場合の第３実施例の概略正面図である。
【考案を実施するための形態】
【００１８】
図１ないし図４は、この考案のリング状装身具１０の第１実施例を示すものであり、開口端１２を備えたリング状バネ１１と、該リング状バネ１１の外周の両側に配設された左右一対の半割りのパイプ状装飾部材１３，１４と、該半割りのパイプ状装飾部材１３，１４間に配設された１つの球状スペーサ１５と、該パイプ状装飾部材１３，１４に挿通したリング状バネ１１の前記開口端１２にそれぞれ取り付けた耳当て部材１６，１６とを備えている。
したがって、前記リング状バネ１１の開口端１２を開いてその間に耳たぶを挿通した上でリング状バネ１１に加えた力を開放すれば、前記リング状バネ１１の力で前記一対の耳当て部材１６，１６間で耳たぶを挟み付けることができる。
なお、本実施例において前記一対の半割りのパイプ状装飾部材１３，１４は、それぞれ内周側にその長さ方向に沿ってスリット１３ａ，１４ａを形成してあり、リング状装身具１０を軽量にすることができる。
【００１９】
前記開口端１２を備えたリング状バネ１１としては、ＴｉＮｉ形状記憶合金を含むチタン系弾性素材を使用することが望ましく、しなやかで耐食性、耐摩耗性に優れ、また生体適合性が良く、アレルギーなどが起こりにくい製品とすることができる。
一対の半割りのパイプ状装飾部材１３，１４としては貴金属製の円弧状部材を、球状スペーサ１５としても貴金属製の丸玉を好適に用いることができる。
なお、前記球状スペーサ１５とその両側の一対の半割りのパイプ状装飾部材１３，１４をそれぞれ固定することは望ましくなく、固定しないことによって前記リング状バネ１１の開口端１２部分の開閉操作をよりスムーズに行わせることができる。
なお、半割りのパイプ状装飾部材１３，１４間に球状スペーサ１５を１個備えている第１実施例の場合、前記リング状バネ１１による耳たぶの挟着力をやや強めにすることができる。
【００２０】
ちなみに、前記装飾部材１３，１４および球状スペーサ１５は、金や銀、プラチナ、あるいはそれらの合金からなる貴金属製であることが望ましく、極めて装飾性が高く、高価で付加価値の高い装身具を提供することができる。
【００２１】
図５は前記リング状バネ１１およびその外周の両側に配設された一対の半割りのパイプ状装飾部材１３（１４）と、前記耳当て部材１６とを接合する部位を拡大したものである。
すなわち、前記リング状バネ１１の開口端１２に位置するパイプ状装飾部材１３（１４）の内径を前記リング状バネ１１の太さに近くし、その間を接着剤を充填して固着するとともに、前記リング状バネ１１およびパイプ状装飾部材１３（１４）と前記耳当て部材１６とをロー付け等の手段で接合している。
【００２２】
図６ないし図８はこの考案のリング状装身具１０の第１実施例の耳たぶへの取付け操作を示すものであり、常態で開口端１２の間隙を耳たぶの厚さよりも小さくした前記リング状バネ１１を、図６および図７に示すようにその挟着力に抗して広げる。
その上で前記リング状バネ１１に加えた力を解除すると、前記リング状バネ１１はその開口端１２の間隙を耳たぶの厚さよりも小さい幅まで狭めようとするので、図８に示すように前記リング状装身具１０の開口端１２に取り付けた耳当て部材１６間で、耳たぶ１７を確実に保持することができる。
【００２３】
図９は、この考案のリング状装身具２０の第２実施例を示すものであり、開口端２２を備えたリング状バネ２１と、該リング状バネ２１の外周の両側に配設された左右一対の半割りのパイプ状装飾部材２３，２４と、該半割りのパイプ状装飾部材２３，２４間に配設された２つの球状スペーサ２５，２５と、該パイプ状装飾部材２３，２４に挿通した前記リング状バネ２１の開口端２２にそれぞれ取り付けた耳当て部材２６，２６とを備えている。
したがって、前記リング状バネ２１の開口端２２を開いてその間に耳たぶを挿通した上でリング状バネ２１に加えた力を開放すれば、前記リング状バネ２１の力で前記一対の耳当て部材２６，２６間で耳たぶを挟み付けることができる。
なお、半割りのパイプ状装飾部材２３，２４間に球状スペーサ２５を２個備えている第２実施例の場合、前記リング状バネ２１による耳たぶの挟着力をやや穏やかに、かつリング状装身具２０の開口端２２の開く範囲をより大きくすることができる。
【００２４】
図１０は、この考案のリング状装身具３０の第３実施例を示すものであり、開口端３２を備えたリング状バネ３１と、該リング状バネ３１の外周の両側に多数の球状装飾部材３３，３４を連珠状に配設したものである。
また、前記多数の球状装飾部材３３，３４間には２つの球状スペーサ３５，３５と、該球状装飾部材３３，３４に挿通した前記リング状バネ３１の開口端３２にそれぞれ取り付けた球状の耳当て部材３６，３６とを備えている。
したがって、前記リング状バネ３１の開口端３２を開いてその間に耳たぶを挿通した上でリング状バネ３１に加えた力を開放すれば、前記リング状バネ３１の力で前記一対の耳当て部材３６，３６間で耳たぶを挟み付けることができる。
このように、本実施例では多数の球状装飾部材３３，３４を連珠状に配設したものであるため、多様な装飾性を備えたリング状装身具を提供することが可能でなった。
ちなみに、球状装飾部材３３，３４として多数のカット面を備えたミラーボール様のものや楕円形断面のもの、その他各種の断面形状のものを利用することが可能である。
【産業上の利用可能性】
【００２５】
この考案のリング状装身具によれば、イヤリングや指輪のみならず、フリーサイズでの使用が可能なリング状装身具として、極めて幅広い用途に使用することができる。
【符号の説明】
【００２６】
１０  リング状装身具
１１  リング状バネ
１２  開口端
１３，１４  半割りのパイプ状装飾部材
１３ａ，１４ａ  スリット
１５  球状スペーサ
１６  耳当て部材
１７  耳たぶ
２０  リング状装身具
２１  リング状バネ
２２  開口端
２３，２４  半割りのパイプ状装飾部材
２５  球状スペーサ
２６  耳当て部材
３０  リング状装身具
３１  リング状バネ
３２  開口端
３３，３４  球状装飾部材
３５  球状スペーサ
３６  耳当て部材
【図１】
0003223487.tif 000003
【図２】
0003223487.tif 000004
【図３】
0003223487.tif 000005
【図４】
0003223487.tif 000006
【図５】
0003223487.tif 000007
【図６】
0003223487.tif 000008
【図７】
0003223487.tif 000009
【図８】
0003223487.tif 000010
【図９】
0003223487.tif 000011
【図１０】
0003223487.tif 000012